【事件の表示】
　特願２００７−２２５１１５「水蒸気透過率が小さく高度に中和した酸ポリマー組成物およびそのゴルフボールへの使用」拒絶査定不服審判事件〔平成２０年　３月２７日出願公開、特開２００８−　６８０８０〕について、次のとおり審決する。
【結　論】
　本件審判の請求は、成り立たない。
【理　由】
第１　手続の経緯
　本願は、平成１９年８月３１日の出願（パリ条約による優先権主張　２００６年８月３１日　米国）であって、平成２２年１２月２７日付けで手続補正がなされ、平成２３年１月２８日付けで拒絶査定され、これに対して、同年５月３０日付けで拒絶査定不服の審判が請求がなされ、その請求と同時に手続補正がなされたものである。
　
第２　平成２３年５月３０日付け手続補正についての補正却下の決定  
 　 
 〔補正却下の決定の結論〕  
　平成２３年５月３０日付け手続補正を却下する。  
 　 
〔理由〕  
１　本件補正の内容
（１）平成２３年５月３０日付け手続補正（以下「本件補正」という。）は、特許請求の範囲についてするもので、特許請求の範囲の請求項１については、本件補正前に、  
「　【請求項１】
　カバーおよびコアを有し、上記カバーは、酸基の少なくとも７０％が中和されている、中和された酸ポリマーから製造され、上記中和された酸ポリマーは上記ポリマーの全重量をベースにして０重量％から１９重量％の軟化モノマーを有し、上記中和された酸ポリマーは、ステアリン酸亜鉛およびステアリン酸カルシウムから選択した有機酸塩を有することを特徴とするゴルフボール。」
とあったものを、  
　  
「　【請求項１】
　カバーおよびコアを有し、
上記カバーはゴルフボール本体の最も外側の層を形成し、
と補正するものである（下線は審決において付した。以下同じ。）。  
　  
（２）上記（１）の請求項１に係る本件補正は、本件補正前の請求項１に係る発明を特定するために必要な事項である「カバー」について「ゴルフボール本体の最も外側の層を形成し」と限定するものである。 
　 
２　本件補正の目的
　請求項１に係る本件補正は、上記１（２）のとおり、本件補正前の請求項１に係る発明を特定するために必要な事項を限定して、本件補正後の請求項１とするものであるから、特許法第１７条の２第５項第２号に掲げる特許請求の範囲の減縮を目的とするものである。
　そこで、本件補正後の請求項１に係る発明（以下「本願補正発明」という。）が、特許出願の際独立して特許を受けることができるものであるか（特許法第１７条の２第６項において準用する同法第１２６条第５項の規定に適合するか）について以下検討する。
　
３　独立特許要件
（１）本願補正発明
　本願補正発明は、上記第２〔理由〕１（１）に本件補正後の請求項１として記載したとおりのものである。
　
（２）引用刊行物及び引用発明
　原査定の拒絶の理由に引用された、本願の優先日前に頒布された刊行物である特開２００４−３０５７５４号公報（以下「引用例」という。）には、次の事項が図とともに記載されている。
　ア「【０１３８】
  
ゴルフボール中間層
  本発明のゴルフボールが
内部カバー層
のような中間層
【０１４２】
　
イオノマー類
　上記で簡単に述べたように、上記
中間層は、エチレンと不飽和モノカルボン酸とのイオン性コポリマー類のようなイオノマー材料を含み
の塩類で完全
に
100％中和させたエチレンとメタクリル酸またはアクリル酸の
ターポリマーである
【０１４３】
　また、上記中間層は、
E/X/Yターポリマー(Eはエチレンであり、Xは約0〜50質量％で存在するアクリレートまたはメタクリレート系の軟化性コモノマーであり、Yは約5〜35質量％で存在するアクリル酸またはメタクリル酸である)を含む酸含有エチレンコポリマーイオノマー類
  上記イオノマーは、いわゆる“低酸”および“高酸”イオノマー類、およびこれらの混合物を含み得る。一般に、約15％までの酸を含むイオン性コポリマー類は、“低酸”イオノマーとみなされ、約15％よりも多い酸を含むコポリマー類は、“高酸”イオノマーとみなされる。例えば、米国特許第6,506,130号および第6,503,156号は、低酸イオノマーを16質量％以下の酸含有量を含むものと定義し、一方、高酸イオノマーは約16質量％よりも多い酸を含有するものと定義している。
【０１４４】
　低酸イオノマーは、高スピンを与えるものと信じられている。即ち、１つの実施態様においては、
上記中間層は、
任意成分として軟質化用コモノマー
例えば、イソ-またはn-ブチルアクリレートを含んでより軟質のターポリマー
【０１４５】
　もう１つの実施態様においては、上記中間層は、低スピン速度および最高距離のための少なくとも１種の高酸イオノマーを含む。この局面においては、アクリル酸またはメタクリル酸は、約15〜約35質量％で存在して、そのイオノマーを高モジュラスイオノマーとする。１つの実施態様においては、該高モジュラスイオノマーは、約16質量％のカルボン酸、好ましくは約17質量％〜約25質量％のカルボン酸、より好ましくは約18.5質量％〜約21.5質量％のカルボン酸を含む。ある状況においては、アクリレートエステル(即ち、イソ-またはn-ブチルアクリレート等)のような追加のコモノマーも含ませて、より軟質のターポリマーを調製し得る。追加のコモノマーは、酸が2〜10個の炭素原子を有する脂肪族カルボン酸のビニルエステル類、アルキル基が1〜10個の炭素原子を含有するビニルエーテル類、およびアルキル基が1〜10個の炭素原子を含有するアルキルアクリレートまたはメタクリレートからなる群から選択し得る。適切な軟質化用コモノマーとしては、酢酸ビニル、メチルアクリレート、メチルメタクリレート、エチルアクリレート、エチルメタクリレート、ブチルアクリレートまたはブチルメタクリレート等がある。
【０１４６】
　従って、高モジュラスイオノマー類を調製するために使用する適切な多くのコポリマー類の例としては、限定するものではないが、エチレン/アクリル酸コポリマー、エチレン/メタクリル酸コポリマー、エチレン/イタコン酸コポリマー、エチレン/マレイン酸コポリマー、エチレン/メタクリル酸/酢酸ビニルコポリマー、エチレン/アクリル酸/ビニルアルコールコポリマー等の高酸実施態様物がある。
　１つの実施態様においては、
上記中間層は、α,β-不飽和カルボン酸基を含有する少なくとも１種のポリマー、または有機脂肪酸で100％中和したその塩から形成させ得る。上記有機酸は、脂肪族のモノ官能性(飽和、不飽和または多不飽和)有機酸である。これらの有機酸の塩類も使用し得る。本発明の有機酸の塩類としては、バリウム、リチウム、ナトリウム、亜鉛、ビスマス、クロム、コバルト、銅、カリウム、ストロンチウム、チタン、タングステン、マグネシウム、セシウム、鉄、ニッケル、銀、アルミニウム、錫またはカルシウムの塩類；脂肪酸、とりわけステアリン酸、ベヘン酸、エルカ酸、オレイン酸、リノール酸またはこれらの二量体化誘導体の塩類がある
【０１４７】
　上記高中和ポリマー(“HNP”)類、典型的にはエチレン系イオノマー類の酸成分は、好ましくは約70％よりも多く、より好ましくは約90％よりも多く、最も好ましくは少なくとも約100％中和させる。また、HNP類は、第２ポリマー成分とブレンドし得、この第２ポリマー成分は、酸基を含有する場合、通常の方法で、有機脂肪酸、または双方により中和させ得る。第２ポリマー成分は、部分的にまたは完全に中和させ得、好ましくは、イオノマーコポリマーおよびターポリマー、イオノマープレカーサー、熱可塑性物類、ポリアミド類、ポリカーボネート類、ポリエステル類、ポリウレタン類、ポリ尿素類、熱可塑性エラストマー類、ポリブタジエンゴム、バラタ、メタロセン触媒添加ポリマー(グラフト型および非グラフト型)、単一部位ポリマー類、高結晶性酸ポリマー類、カチオン性イオノマー類等を含む。
　この実施態様においては、上記酸コポリマー類は、E/X/Yコポリマーとして説明し得、Eはエチレンであり、Xはα,β-エチレン系不飽和カルボン酸であり、Yは軟質化用コモノマーである。好ましい実施態様においては、Xはアクリル酸またはメタクリル酸であり、YはC1〜C18アルキルアクリレートまたはメタクリレートエステルである。Xは、好ましくは上記ポリマーの約1〜約35質量％、より好ましくは上記ポリマーの約5〜約30質量％、最も好ましくは上記ポリマーの約10〜約20質量％の量で存在する。Yは、好ましくは上記ポリマーの約0〜約50質量％、より好ましくは上記ポリマーの約5〜約25質量％、最も好ましくは上記ポリマーの約10〜約20質量％の量で存在する。
【０１４８】
　上記有機酸は、脂肪族のモノ官能性(飽和、不飽和または多不飽和)有機酸である。これらの有機酸の塩類も使用し得る。本発明の有機酸の塩類としては、バリウム、リチウム、ナトリウム、亜鉛、ビスマス、クロム、コバルト、銅、カリウム、ストロンチウム、チタン、タングステン、マグネシウム、セシウム、鉄、ニッケル、銀、アルミニウム、錫またはカルシウムの塩類；脂肪酸、とりわけステアリン酸、ベヘン酸、エルカ酸、オレイン酸、リノール酸またはこれらの二量体化誘導体の塩類がある。本発明の有機酸および塩類は、比較的非移行性(ポリマー表面に周囲温度でブルームしない)で且つ不揮発性(溶融混合において要求される温度で揮発しない)であるのが好ましい。
　コポリエーテルエステル類、コポリエステルエステル類、コポリエーテルアミド類、弾性ポリオレフィン類、スチレンジエンブロックコポリマー類およびそれらの水素化誘導体、コポリエステルアミド類；コポリエーテルウレタン類、コポリエステルウレタン類、コポリ尿素ウレタン類、エポキシ系ポリウレタン類、ポリカーボネート系ポリウレタン類のような熱可塑性ポリウレタン類；ポリ尿素類；およびポリカーボネート系ポリウレタン充填剤のような熱可塑性ポリマー成分、および含ませる場合の他の成分を、上記酸成分を中和させる前、中または後のいずれかにおいてブレンドし得る。
　これらの材料の例は、米国特許出願広報2001/0018375号および第2001/0019971号に開示されており、これらの米国特許出願は、本明細書にその全体が参考として組み込まれる。」
　イ「【０１６６】
  ゴルフボールの構造
  本発明の組成物は、限定するものではないが、ワンピース、ツーピース、スリーピースおよびフォーピースデザインのような任意のタイプのボール構造において使用し得、二重コア、二重カバー、中間層(１層以上)、多層コア、および/または多層カバーは、ボールの所望性能のタイプによる。即ち、本発明の組成物は、ゴルフボールのコア、中間層、および/またはカバーにおいて使用することができ、その各々が、単層または複数層を有し得る。本明細書において使用するとき、用語“多層”は、少なくとも２層を意味する。
  コアの項で説明したように、コアは、ワンピースコアまたは多層コアであり得、両者とも、固形、半固形、中空、流体充填型または粉末充填型であり得る。多層コアは、１つのさらなるコア層または複数のさらなるコア層をその上に配置した最深コンポーネントを有するコアである。例えば、図１は、コア２とカバー３を有するゴルフボール１を示す。１つの実施態様においては、図１のゴルフボールは、ポリブタジエン反応材料または多の通常の材料のコア２と本発明のポリ尿素組成物を含むカバー３を示している。もう１つの実施態様においては、図１のゴルフボールは、ポリブタジエン反応材料から形成させたコア２と本発明の飽和ポリ尿素組成物を含むカバー３を示している。さらにもう１つの実施態様においては、ゴルフボール１は、通常の材料のコア２と少なくとも１種の耐水性ポリ尿素またはポリウレタン組成物から形成させたカバー３を含み得る。
【０１６７】
  さらに、本発明のゴルフボールが中間層を含む場合、この層は、単層または多層カバー、単または多要素コア、単層カバーとコアの双方、または多層カバーと多層コアの双方と合体させ得る。中間層は、内側カバー層もしくは外側コア層、またはゴルフボールの内部コアと外側カバーの間に配置させた任意の他の層(１層以上)であり得る。コアにおけるように、中間層もまた複数層を含み得る。任意の数またはタイプの中間層を所望に応じて使用し得ることを理解されたい。
  図２は、カバー１３、少なくとも１つの中間層１４およびコア１２を含む多層ゴルフボール１２を例示している。１つの実施態様においては、図２のゴルフボール１１は、ポリブタジエン反応材料のコア１２、中間層１４、および好ましくはポリ尿素が飽和である本発明のポリ尿素組成物から形成されたカバー１３を含み得る。さらに、図３のゴルフボール２１は、ポリブタジエン反応材料または他の通常のコア材料のコア２２、少なくとも１つのイオノマー中間層２４、および少なくとも１種の講和ポリ尿素を含むカバー２３を有する。…（略）…
【０１７２】
  同様に、
カバーも、複数の層、例えば、ゴール中心の周りに配置した内部カバー層とその上に配置した外側カバー層を含み得る
例えば、図６は、コア５２、薄い内部カバー層５４およびその上に配置した薄い外側カバー層５３を有するゴルフボール５１
　ウ（ア）上記ア【０１４２】「上記中間層は、…（略）…塩類で完全に…（略）…100％中和させたエチレンとメタクリル酸またはアクリル酸の…（略）…ターポリマーである。」、上記ア【０１４３】「…（略）…上記記中間層は、E/X/Yターポリマー(Eはエチレンであり、Xは約0〜50質量％で存在するアクリレートまたはメタクリレート系の軟化性コモノマーであり、Yは約5〜35質量％で存在するアクリル酸またはメタクリル酸である)を含む酸含有エチレンコポリマーイオノマー類」及び上記ア【０１４６】「上記中間層は、α,β-不飽和カルボン酸基を含有する少なくとも１種のポリマー、または有機脂肪酸で100％中和したその塩から形成させ得る」との記載から、
　引用例には、「内側カバー層」として「塩類で完全に100％中和させたエチレンとメタクリル酸またはアクリル酸のE/X/Yターポリマーであって、前記E/X/Yターポリマー(Eはエチレンであり、Xは約0〜50質量％で存在するアクリレートまたはメタクリレート系の軟化性コモノマーであり、Yは約5〜35質量％で存在するアクリル酸またはメタクリル酸である)を含む酸含有エチレンコポリマーイオノマー類を
有機脂肪酸で100％中和したその塩
（イ）上記（ア）の「有機脂肪酸で100％中和したその塩」は、上記ア【０１４６】の記載において、「有機脂肪酸で100％中和したその塩」の記載より後段に示された「有機酸の塩類」と解するのが自然であるから、引用例には、「内側カバー層は、塩類により完全に１００％中和させたエチレンとメタクリル酸またはアクリル酸のE/X/Yターポリマーであり、前記E/X/Yターポリマー(Eはエチレンであり、Xは約0〜50質量％で存在するアクリレートまたはメタクリレート系の軟化性コモノマーであり、Yは約5〜35質量％で存在するアクリル酸またはメタクリル酸である)を含む酸含有エチレンコポリマーイオノマー類を有機酸の塩類から形成させ得るものであり、有機酸の塩類としては、バリウム、リチウム、ナトリウム、亜鉛、ビスマス、クロム、コバルト、銅、カリウム、ストロンチウム、チタン、タングステン、マグネシウム、セシウム、鉄、ニッケル、銀、アルミニウム、錫またはカルシウムの塩類；脂肪酸、とりわけステアリン酸、ベヘン酸、エルカ酸、オレイン酸、リノール酸またはこれらの二量体化誘導体の塩類である」が記載されているといえる。
　
　エ　以上から、引用例には次の発明（以下「引用発明」という。）が記載されていると認められる。
「コア、内部カバー層およびその上に配置した外側カバー層を有するゴルフボールであって、
　内部カバー層は、塩類により完全に１００％中和させたエチレンとメタクリル酸またはアクリル酸のE/X/Yターポリマーであり、前記E/X/Yターポリマー(Eはエチレンであり、Xは約0〜50質量％で存在するアクリレートまたはメタクリレート系の軟化性コモノマーであり、Yは約5〜35質量％で存在するアクリル酸またはメタクリル酸である)を含む酸含有エチレンコポリマーイオノマー類を有機酸の塩類から形成させ得るものであり、有機酸の塩類としては、バリウム、リチウム、ナトリウム、亜鉛、ビスマス、クロム、コバルト、銅、カリウム、ストロンチウム、チタン、タングステン、マグネシウム、セシウム、鉄、ニッケル、銀、アルミニウム、錫またはカルシウムの塩類；脂肪酸、とりわけステアリン酸、ベヘン酸、エルカ酸、オレイン酸、リノール酸またはこれらの二量体化誘導体の塩類である、ゴルフボール。」
　
（３）対比
　本願補正発明と引用発明とを対比する。
　ア　引用発明の「コア」、「有機酸の塩類」、「軟化性コモノマー」及び「ゴルフボール」は、それぞれ、本願補正発明の「コア」、「有機酸塩」、「軟化モノマー」及び「ゴルフボール」に相当する。
　
　イ　引用発明の「E/X/Yターポリマー」の前記「Y」に存在する「アクリル酸」または「メタクリル酸」は酸基としてカルボキシル基(-COOH)を有する有機酸であることが、当業者に自明であるから、引用発明の「アクリル酸」または「メタクリル酸」のカルボキシル基(-COOH)は本願補正発明の「酸基」に相当し、引用発明の「E/X/Yターポリマー」は本願補正発明の「酸ポリマー」に相当する。
　
　ウ　引用発明の「ゴルフボール」は、「コア、内部カバー層およびその上に配置した外側カバー層を有する」ものであるから、引用発明の「ゴルフボール」と本願補正発明の「ゴルフボール」とは「カバーおよびコアを有し」た点で一致する。
　
　エ　引用発明の「内部カバー層」と本願補正発明の「『ゴルフボール本体の最も外側の層』として『形成』された『カバー』」とは「ゴルフボールのカバー層」である点で一致する。
　
　オ　（ア）引用発明の「内部カバー層」は、塩類により完全に１００％中和させたエチレンとメタクリル酸またはアクリル酸のE/X/Yターポリマーであり、前記E/X/Yターポリマー(Eはエチレンであり、Xは約0〜50質量％で存在するアクリレートまたはメタクリレート系の軟化性コモノマーであり、Yは約5〜35質量％で存在するアクリル酸またはメタクリル酸である)を含む酸含有エチレンコポリマーイオノマー類を有機酸の塩類から形成させ得るものであり、有機酸の塩類としては、バリウム、リチウム、ナトリウム、亜鉛、ビスマス、クロム、コバルト、銅、カリウム、ストロンチウム、チタン、タングステン、マグネシウム、セシウム、鉄、ニッケル、銀、アルミニウム、錫またはカルシウムの塩類；脂肪酸、とりわけステアリン酸、ベヘン酸、エルカ酸、オレイン酸、リノール酸またはこれらの二量体化誘導体の塩類である一方、
　有機酸の塩類による形成されたアイオノマー樹脂が該有機酸の塩類を有することは、当業者に自明である（例．特開２０００−２７９５５４号公報、特開２０００−１５７６４６号公報参照。）から、
　引用発明の「内部カバー層」は、「酸基の１００％が中和されている、中和された酸ポリマーから製造され、前記中和された酸ポリマーは前記ポリマーの全重量をベースにして０重量％から５０重量％の軟化モノマーを有し、前記中和された酸ポリマーは、バリウム、リチウム、ナトリウム、亜鉛、ビスマス、クロム、コバルト、銅、カリウム、ストロンチウム、チタン、タングステン、マグネシウム、セシウム、鉄、ニッケル、銀、アルミニウム、錫またはカルシウムの塩類；脂肪酸、とりわけステアリン酸、ベヘン酸、エルカ酸、オレイン酸、リノール酸またはこれらの二量体化誘導体の塩類からなる有機酸の塩類を有する」ものといえる。
（イ）上記（ア）から、引用発明の「内部カバー層」と本願補正発明の「カバー」とは、「酸基の少なくとも７０％が中和されている、中和された酸ポリマーから製造され、前記中和された酸ポリマーは前記ポリマーの全重量をベースにして０重量％から所定重量％の軟化モノマーを有し、前記中和された酸ポリマーは有機酸の塩類を有する」点で一致する。
（ウ）上記（イ）から、引用発明の「ゴルフボール」と本願補正発明の「ゴルフボール」とは、「ゴルフボールのカバー層が、酸基の少なくとも７０％が中和されている、中和された酸ポリマーから製造され、前記中和された酸ポリマーは前記ポリマーの全重量をベースにして０重量％から所定重量％の軟化モノマーを有し、前記中和された酸ポリマーは有機酸の塩類を有する」点で一致する。
　
　カ　上記アないしオから、本願補正発明と引用発明とは、以下の点で一致する。
　＜一致点＞
「カバーおよびコアを有し、ゴルフボールのカバー層が、酸基の少なくとも７０％が中和されている、中和された酸ポリマーから製造され、前記中和された酸ポリマーは前記ポリマーの全重量をベースにして０重量％から所定重量％の軟化モノマーを有し、前記中和された酸ポリマーは有機酸塩を有するゴルフボール。」
　
　キ　一方で、本願補正発明と引用発明とは、以下の点で相違する。
　相違点１：
　前記中和された酸ポリマーから製造されるカバー層が、本願補正発明では、「『ゴルフボール本体の最も外側の層』として『形成』された『カバー』」であるのに対し、
　引用発明では、内部カバー層である点。
　
　相違点２：
　前記中和された酸ポリマーの全重量をベースにした軟化モノマーの重量％の上限値が、本願補正発明では、「１９」であるのに対し、
　引用発明では、「５０」である点。
　
　相違点３：
　中和された酸ポリマーが有する有機酸塩が、本願補正発明では、「ステアリン酸亜鉛およびステアリン酸カルシウムから選択した」ものであるのに対し、
　引用発明では、バリウム、リチウム、ナトリウム、亜鉛、ビスマス、クロム、コバルト、銅、カリウム、ストロンチウム、チタン、タングステン、マグネシウム、セシウム、鉄、ニッケル、銀、アルミニウム、錫またはカルシウムの塩類；脂肪酸、とりわけステアリン酸、ベヘン酸、エルカ酸、オレイン酸、リノール酸またはこれらの二量体化誘導体の塩類である点。
　
（４）判断
　上記各相違点１ないし３について判断する。
　ア　相違点１について
（ア）内部カバー層又は外部カバー層のいずれも、中和された酸ポリマーから製造される、ゴルフボールは、本願の優先日前に周知である（以下「周知技術」という。例．特開２００３−１１１８７２号公報の特に【請求項４】、【００２５】及び【００２６】記載参照、特開２００４−１８１２４５号公報及び特開２００４−１８１２４４号公報についても上記特開２００３−１１１８７２号公報と同様の記載参照。）。
（イ）上記（ア）から、引用発明において、内部カバー層又は外側カバー層のいずれも、「内部カバー層」と同じ中和された酸ポリマーから製造し、上記相違点１に係る本願補正発明の構成となすことは、当業者が周知技術に基づいて容易になし得た程度のことである。
　
　イ　相違点２について
（ア）引用例には、「
上記中間層は、
任意成分として軟質化用コモノマー
例えば、イソ-またはn-ブチルアクリレートを含んでより軟質のターポリマー
（イ）本願補正発明において、「軟化モノマー」は中和された酸ポリマーの全重量をベースにして０重量％含むことから、任意付加成分であるといえる。
（ウ）上記ア（イ）、上記イ（ア）及びイ（イ）から、引用発明の「内部カバー層」に係る「E/X/Yターポリマー」全重量をベースにして任意付加成分である軟化性コモノマーの重量％の上限値を１９とし、前記相違点２に係る本願補正発明の構成となすことは、当業者が引用例に記載された事項に基づいて適宜になして設計上のことである。
　
　ウ　相違点３について
（ア）カバー等のゴルフボール材料に用いられる中和された酸ポリマーが有する好適な有機酸塩としてステアリン酸亜鉛およびステアリン酸カルシウムが挙げられることは、本願の優先日前に周知である（以下「周知事項」という。例．上記特開２０００−１５７６４６号公報の特に【０００１】、【００１８】〜【００２４】及び【００４０】、特表２００２−５１４１１２号公報の特に９頁４〜２５行、特開２００１−１２０６８６号公報の特に【請求項１７】、【０００２】ないし【０００５】及び【００２０】〜【００２４】、特開２００６−２８５１７号公報の特に【００１０】、【００２２】及び【０１０５】参照。）。
（イ）上記ア（イ）及び上記ウ（ア）から、引用発明おいて、有機酸の塩類として例示されている中から、ステアリン酸亜鉛およびステアリン酸カルシウムを抽出し、その中から選択し、前記相違点３に係る本願補正発明の構成となすことは、当業者が周知事項に基づいて適宜になして設計上のことである。
　
　エ　効果について
　本願補正発明の奏する効果は、当業者が、引用発明の奏する効果、周知技術の奏する効果、引用例に記載された事項及び周知事項から予測できた程度のものである。
　
　オ　まとめ
　したがって、本願補正発明は、引用例に記載された発明、周知技術、引用例に記載された事項及び周知事項に基づいて当業者が容易に発明をすることができたものである。
　
（５）小括
　以上のとおり、本願補正発明は、特許出願の際独立して特許を受けることができないものであるから、本件補正は、特許法第１７条の２第６項において準用する同法第１２６条第５項の規定に違反するものである。
　したがって、本件補正は、同法第１５９条第１項の規定において読み替えて準用する同法第５３条第１項の規定により却下すべきものである。
　
第３　本願発明について
１　本願発明
　本件補正は、上記第２のとおり却下されたので、本願の請求項１ないし３に係る発明は、平成２２年１２月２７日付け手続補正後の特許請求の範囲及び明細書の記載からみて、特許請求の範囲の請求項１ないし３にそれぞれ記載された事項によって特定されるものであるところ、請求項１に係る発明（以下「本願発明」という。）は、上記第２〔理由〕１（１）に本件補正前の請求項１として記載したとおりのものである。
　
２　引用例
　原査定の拒絶の理由に引用された引用例及びその記載事項は、上記第２〔理由〕３（２）に記載したとおりのものである。
　
３　対比・判断
　本願発明は、上記第２〔理由〕３で検討した本願補正発明において、その発明特定事項である「カバー」について「ゴルフボール本体の最も外側の層を形成し」との限定を省いたものに相当する（上記第２〔理由〕１（２）参照。）。 
　そうすると、本願発明の構成要件をすべて含み、さらに限定を付加したものに相当する本願補正発明が、上記第２〔理由〕３に記載したとおり、当業者が、引用例に記載された発明、周知技術、引用例に記載された事項及び周知事項に基づいて容易に発明をすることができたものであるから、本願発明も同様の理由により、当業者が、引用例に記載された発明、周知技術、引用例に記載された事項及び周知事項に基づいて容易に発明をすることができたものである。
　
４　むすび
　以上のとおり、本願発明は、当業者が、引用例に記載された発明、周知技術、引用例に記載された事項及び周知事項に基づいて容易に発明をすることができたものであるから、特許法第２９条第２項の規定により特許を受けることができない。
　したがって、本願のその余の請求項に係る発明について検討するまでもなく、本願は拒絶を免れない。
　よって、結論のとおり審決する。